(57)【要約】【課題】アライグマ以外の動物を誤って捕獲する錯誤捕獲を少なくすること。【解決手段】肢挿入口２２と、この肢挿入口２２から動物の前肢の誘導路となる壁部２３とを有する筒状本体２１と、壁部２３には貫通孔２４を設け、この貫通孔２４に連通体４０を通すことで筒状本体２１の内部に配置した接触部材３０と筒状本体２１の外部に位置する閉口機構６０とを連通体４０で繋ぐトリガーモジュール２０を提供する。【選択図】図６
2019110897.tif 000002
【特許請求の範囲】
【請求項１】
動物を捕獲して収容する捕獲器と、この捕獲器の動物が入る進入口を閉じる閉口機構を働かせるためのトリガーモジュールと、を有するトリガーモジュール付き捕獲器であって、
トリガーモジュールは、
動物の前肢が入る肢挿入口と、この肢挿入口から動物の前肢の誘導路となる壁部と、を有する筒状本体と、
この筒状本体内部で肢挿入口からエサ置き部までの距離よりも短い所定距離内に設けた接触部材と、
前記接触部材と前記閉口機構とを繋ぐ連通体と、を有し、この連通体は、接触部材を挟んで２方向に突き出ており、その一方側は筒状本体に設けた貫通孔を通じて閉口機構に繋がり、もう一方側は筒状本体に設けた別の貫通孔を通じて筒状本体の外側で固定されるものであり、
捕獲器は、
それぞれ金網からなる前面壁、後面壁、上面壁、底面壁、左側面壁，右側面壁を有する直方体状の外形で、前面壁とともに前面に形成された前扉が、動物が入る進入口を閉止可能な状態に設けられており、前扉が閉まることで動物が進入する進入口を閉止する閉口機構と、前扉が進入口を閉止した状態で前扉が開かないようにロックする扉ロック機構と、を備えたものであり、
閉口機構は、
中心軸を中心に回動可能なシーソー板と、シーソー板の前記中心軸を挟んだ一方側に設けた連通体止め部と、シーソー板の前記中心軸を挟んだ他方側に当該シーソー板から突出して設けたワイヤー止め突起とを有し、連通体止め部に繋げた連通体が引かれてシーソー板が回動することでワイヤー止め突起に係止した扉開けワイヤーが外れて前扉を閉めるものであり、
扉ロック機構は、
前扉の表面側に水平に伸びる押さえ杆と、捕獲器の両側面壁の表面に配設され一方側が押さえ杆の一方端に連接し他方側が側面壁に垂直な回動支軸に連接する一対の閉じ棒と、捕獲器の両側面壁の表面に配設され一方側が当該側面壁の下部に固定し他方側が前記閉じ棒の中間部に固定する一対のバネ部とから形成されるものであって、
前記トリガーモジュールの筒状本体を、捕獲対象動物に対して肢挿入口が対向し、この肢挿入口に肢が入った後に下向きに向かうように縦長に、捕獲器の後面壁に取り付けたトリガーモジュール付き捕獲器。
【請求項２】
動物を捕獲して収容する捕獲器と、この捕獲器の動物が入る進入口を閉じる閉口機構を働かせるためのトリガー機構と、を有するトリガー機構付き捕獲器であって、
トリガー機構は、
動物の前肢が入る肢挿入口と、
この肢挿入口からエサ置き部までの距離よりも短い所定距離内に設けた接触部材と、を有し、この接触部材は、閉口機構に繋がるものであり、
捕獲器は、
金網からなる直方体状の外形で、前面に形成された前扉が、動物が入る進入口を閉止可能な状態に設けられており、前扉が閉まることで動物が進入する進入口を閉止する閉口機構と、前扉が進入口を閉止した状態で前扉が開かないようにロックする扉ロック機構と、を備えたものであり、
閉口機構は、
前記接触部材に連通した扉開けワイヤーが、前記接触部材が引かれて係止を外すことで前扉を閉めるものであるトリガー機構付き捕獲器。
【請求項３】
動物を捕獲して収容する捕獲器に取り付けて、この捕獲器の進入口を閉じる閉口機構を働かせるためのトリガーモジュールであって、
動物の前肢が入る肢挿入口からエサ置き部までの距離よりも短い所定距離内に設けた接触部材と、この接触部材と閉口機構とを繋ぐ連通体と、を有するトリガーモジュール。
【請求項４】
前記連通体は、接触部材を挟んで２方向に突き出ており、その一方側は閉口機構に繋がり、もう一方側は固定された部位に連結されるものである請求項３記載のトリガーモジュール。
【請求項５】
前記肢挿入口と、この肢挿入口から動物の前肢の誘導路となる壁部とを有する筒状本体をさらに有し、
壁部には貫通孔を設け、この貫通孔に連通体を通すことで筒状本体内部に配置した接触部材と筒状本体の外部に位置する閉口機構とを連通体で繋ぐ請求項３または請求項４記載のトリガーモジュール
【請求項６】
前記筒状本体は、捕獲対象動物に対して肢挿入口を対向すると、この肢挿入口に肢が入った後に肢挿入口に対する交叉方向に肢を導く誘導路を有し、この誘導路中に接触部材が配置され、さらにその奥方にエサを載置可能なエサ置き部を備える請求項５記載のトリガーモジュール。
【請求項７】
前記筒状本体の肢挿入口とは反対側の端部に、当該筒状本体内にエサを挿入可能なエサ挿入口を設け、エサ挿入口と肢挿入口のそれぞれの開口が反対側を向くように配置した請求項６記載のトリガーモジュール。
【請求項８】
筒状本体の中心部分における肢挿入口から接触部材までの長さが１７〜２５ｃｍである請求項３〜請求項７記載のトリガーモジュール。
【請求項９】
動物を捕獲して収容する捕獲器にトリガーモジュールが付設されたトリガーモジュール付き捕獲器であって、
請求項３〜請求項８何れか１項記載のトリガーモジュールを備えるトリガーモジュール付き捕獲器。
【請求項１０】
動物を捕獲して収容する捕獲器であって、
中心軸を中心に回動可能なシーソー板と、シーソー板の前記中心軸を挟んだ一方側に設けた連通体止め部と、シーソー板の前記中心軸を挟んだ他方側に当該シーソー板から突出して設けたワイヤー止め突起とを有し、連通体止め部に繋げた連通体が引かれてシーソー板が回動することでワイヤー止め突起に係止した扉開けワイヤーが外れて前扉を閉めることが可能な閉口機構を備える捕獲器。
【請求項１１】
動物を捕獲して収容する捕獲器であって、
前扉の表面側に水平に伸びる押さえ杆と、捕獲器の両側面壁の表面に配設され一方側が押さえ杆の一方端に連接し他方側が側面壁に垂直な回動支軸に連接する一対の閉じ棒と、捕獲器の両側面壁の表面に配設され一方側が当該側面壁の下部に固定し他方側が前記閉じ棒の中間部に固定する一対のバネ部とから形成される扉ロック機構を備える捕獲器。
【請求項１２】
動物を捕獲して収容する捕獲器にトリガーモジュールが付設されたトリガーモジュール付き捕獲器であって、
請求項３〜請求項８何れか１項記載のトリガーモジュールと、請求項１０または請求項１１記載の捕獲器の少なくとも何れかとを備えるトリガーモジュール付き捕獲器。
【発明の詳細な説明】
【技術分野】
【０００１】
本発明は、動物を捕獲して収容する捕獲器と、その捕獲器に動物が入る進入口を閉塞するトリガーモジュールに関し、特に前肢を使ってエサを取ることが可能な動物の捕獲を行うことができ、アライグマの捕獲に好適なトリガーモジュールと捕獲器、並びにトリガーモジュール付き捕獲器に関するものである。
【背景技術】
【０００２】
野生動物には、ハクビシンやタヌキ、アナグマ、テン、アライグマ等々の様々な種類の動物が存在し、これらの野生動物の捕獲を目的とした捕獲器が開発されている。こうした捕獲器は、例えば、かご状捕獲器の前面に動物が進入可能な進入口を設けておき、この捕獲器内に置いたエサを取りにきた動物が踏み板を押し込んだり、エサを置くえさ台を動かしたりすることで閉口機構が作用して進入口を閉塞する扉が閉まり、動物を捕獲する機能を有するものである。こうした捕獲器の技術が記載された特許文献としては登録実用新案第３１６４８９７号公報（特許文献１）が挙げられる。
【０００３】
しかしながら、これらの野生動物の中でもアライグマは感染症のキャリアになる可能性が高く、またその生息域が都市圏にも及んできていることから被害が甚大である。そのため、アライグマを捕獲することに対する需要が高まってきており、登録実用新案第３１７０５５５号公報（特許文献２）や、特表２０１４−０４６２６４号公報（特許文献３）には、アライグマを捕獲する目的で開発された捕獲器に対する技術が記載されている。
【先行技術文献】
【特許文献】
【０００４】
【特許文献１】登録実用新案第３１６４８９７号公報
【特許文献２】登録実用新案第３１７０５５５号公報
【特許文献３】特表２０１４−０４６２６４号公報
【発明の概要】
【発明が解決しようとする課題】
【０００５】
しかしながら、アライグマ捕獲専用として開発された登録実用新案第３１７０５５５号公報（特許文献２）や、特表２０１４−０４６２６４号公報（特許文献３）に記載の技術によれば、エサ籠の動作によっては閉口機構が作動せずにエサだけが取られる可能性があり、また、閉口機構が作動してもエサはアライグマに取られるため、アライグマを捕獲しようとする都度、新たなエサを準備する必要があった。本発明はこうした不具合を解決することができ、前肢を使ってエサを取る行動を行い得るアライグマ等の動物を選択して捕獲可能な技術を提供するものである。
【課題を解決するための手段】
【０００６】
上記目的を達成するため本発明のトリガーモジュール付き捕獲器は、
動物を捕獲して収容する捕獲器と、この捕獲器の動物が入る進入口を閉じる閉口機構を働かせるためのトリガーモジュールと、を有するトリガーモジュール付き捕獲器であって、
トリガーモジュールは、動物の前肢が入る肢挿入口と、この肢挿入口から動物の前肢の誘導路となる壁部と、を有する筒状本体と、この筒状本体内部で肢挿入口からエサ置き部までの距離よりも短い所定距離内に設けた接触部材と、前記接触部材と前記閉口機構とを繋ぐ連通体と、を有し、この連通体は、接触部材を挟んで２方向に突き出ており、その一方側は筒状本体に設けた貫通孔を通じて閉口機構に繋がり、もう一方側は筒状本体に設けた別の貫通孔を通じて筒状本体の外側で固定されるものであり、
捕獲器は、それぞれ金網からなる前面壁、後面壁、上面壁、底面壁、左側面壁，右側面壁を有する直方体状の外形で、前面壁とともに前面に形成された前扉が、動物が入る進入口を閉止可能な状態に設けられており、前扉が閉まることで動物が進入する進入口を閉止する閉口機構と、前扉が進入口を閉止した状態で前扉が開かないようにロックする扉ロック機構とを備えたものであり、
閉口機構は、中心軸を中心に回動可能なシーソー板と、シーソー板の前記中心軸を挟んだ一方側に設けた連通体止め部と、シーソー板の前記中心軸を挟んだ他方側に当該シーソー板から突出して設けたワイヤー止め突起とを有し、連通体止め部に繋げた連通体が引かれてシーソー板が回動することでワイヤー止め突起に係止した扉開けワイヤーが外れて前扉を閉めるものであり、
扉ロック機構は、前扉の表面側に水平に伸びる押さえ杆と、捕獲器の両側面壁の表面に配設され一方側が押さえ杆の一方端に連接し他方側が側面壁に垂直な回動支軸に連接する一対の閉じ棒と、捕獲器の両側面壁の表面に配設され一方側が当該側面壁の下部に固定し他方側が前記閉じ棒の中間部に固定する一対のバネ部とから形成されるものであって、
前記トリガーモジュールの筒状本体を、捕獲対象動物に対して肢挿入口が対向し、この肢挿入口に肢が入った後に下向きに向かうように縦長に、捕獲器の後面壁に取り付けたトリガーモジュール付き捕獲器である。
【０００７】
上記のように構成したため、前肢を使ってエサを取る行動を起こす動物、特にアライグマの捕獲にすぐれ、それ以外の動物を誤って捕獲する錯誤捕獲を減少させることができる。また、捕獲した動物を何ら拘束するものではないため、動物を傷つけることがない。さらに、エサが荒らされることがないことから、エサを繰り返し利用することができ、エサの利用コストを下げることができ、また、エサ交換や捕獲器を洗浄する回数を減らすことができる。さらにまた、捕獲器をコンパクトにすることができ、捕獲器の上面に設けた取っ手を持つことによる運搬が容易となる。
【０００８】
また本発明は、動物を捕獲して収容する捕獲器と、この捕獲器の動物が入る進入口を閉じる閉口機構を働かせるためのトリガー機構と、を有するトリガー機構付き捕獲器であって、トリガー機構は、動物の前肢が入る肢挿入口と、この肢挿入口からエサ置き部までの距離よりも短い所定距離内に設けた接触部材と、を有し、この接触部材は、閉口機構に繋がるものであり、捕獲器は、金網からなる直方体状の外形で、前面に形成された前扉が、動物が入る進入口を閉止可能な状態に設けられており、前扉が閉まることで動物が進入する進入口を閉止する閉口機構と、前扉が進入口を閉止した状態で前扉が開かないようにロックする扉ロック機構と、を備えたものであり、閉口機構は、前記接触部材に連通した扉開けワイヤーが、前記接触部材が引かれて係止を外すことで前扉を閉めるものであるトリガー機構付き捕獲器として構成した。
【０００９】
トリガー機構を、動物の前肢が入る肢挿入口と、この肢挿入口からエサ置き部までの距離よりも短い所定距離内に設けた接触部材と、を有し、接触部材が閉口機構に繋がるものとして構成したため、前肢を使ってエサを取る行動を起こす動物、特にアライグマは、エサを取ろうとして肢挿入口に前肢を挿入するため、その前肢は接触部材に触れて接触部材を引くことで閉口機構が動き、動物が入る進入口を閉止できる。そして、前扉が開かないようにロックされるため、前肢を使ってエサを取ろうとする動物の捕獲に優れ、それ以外の動物を誤って捕獲する錯誤捕獲を減少させることができる。また、捕獲した動物を何ら拘束するものではないため、動物を傷つけることがない。さらに、エサが荒らされることがないことから、エサを繰り返し利用することができ、エサの利用コストを下げることができる。さらにまた、捕獲器をコンパクトにすることができ、捕獲器の上面に設けた取っ手を持つことによる運搬が容易となる。
【００１０】
本発明はまた、動物を捕獲して収容する捕獲器に取り付けて、この捕獲器の動物が入る進入口を閉じる閉口機構を働かせるためのトリガーモジュールであって、動物の前肢が入る肢挿入口からエサ置き部までの距離よりも短い所定距離内に設けた接触部材と、この接触部材と閉口機構とを繋ぐ連通体と、を有するトリガーモジュールを提供する。
【００１１】
動物を捕獲して収容する捕獲器に取り付けて、この捕獲器の動物が入る進入口を閉じる閉口機構を働かせるためのトリガーモジュールについて、動物の前肢が入る肢挿入口を設けたため、前肢を使ってエサを取ることができる動物のみが前肢をその肢挿入口に挿入できるため、肢挿入口に前肢を挿入することができない動物の錯誤捕獲を回避することができる。そして、動物の前肢が入る肢挿入口からエサ置き部までの距離よりも短い所定距離内に接触部材を設けたため、捕獲対象の動物がエサを取る前に接触部材に接触させることができる。そのため、エサが荒らされることがなく、エサ換えの回数を減らすことができる。そして、接触部材と閉口機構とを繋ぐ連通体を備えるため、動物の前肢が接触部材に触れることをトリガーとして閉口機構を作用させることができ、捕獲器の前扉を閉じて動物を捕獲することができる。
【００１２】
動物を捕獲して収容する捕獲器に取り付けて、この捕獲器の動物が入る進入口を閉じる閉口機構を働かせるためのトリガーモジュールであって、動物の前肢が入る肢挿入口からエサ置き部までの距離よりも短い所定距離内に設けた接触部材と、この接触部材と閉口機構とを繋ぐ連通体と、を有し、連通体は、接触部材を挟んで２方向に突き出ており、その一方側は閉口機構に繋がり、もう一方側は固定された部位に連結されるものであるトリガーモジュールとすることができる。
【００１３】
動物を捕獲して収容する捕獲器に取り付けて、この捕獲器の動物が入る進入口を閉じる閉口機構を働かせるためのトリガーモジュールについて、動物の前肢が入る肢挿入口を設けたため、前肢を使ってエサを取ることができる動物のみが前肢をその肢挿入口に挿入できるため、肢挿入口に前肢を挿入することができない動物の錯誤捕獲を回避することができる。そして、動物の前肢が入る肢挿入口からエサ置き部までの距離よりも短い所定距離内に接触部材を設けたため、捕獲対象の動物がエサを取る前に接触部材に接触させることができる。そのため、エサが荒らされることがなく、エサ換えの回数を減らすことができる。
【００１４】
そして、接触部材と閉口機構とを繋ぐ連通体を有しており、この連通体は、接触部材を挟んで２方向に突き出ており、その一方側は閉口機構に繋がり、もう一方側は捕獲器の後面壁などの固定された部位に連結されるものであるため、捕獲目的の動物が接触部材に触れると、閉口機構に繋がる連通体が引かれ、閉口機構が作用し、前扉を閉めるなどの動作が行われて、捕獲器内に動物を閉じ込めることができる。ここでは、接触部材を固定する連通体の一方が閉口機構に繋がるだけでなく、もう一方が固定された部位に固定されることで、接触部材が２方向に伸びる連通体で保持されるため、接触部材を動かす動きは常に閉口機構に繋がる連通体を引っ張る動きに変換される。そのため、接触部材に対して前肢がどのように接触しても、換言すれば、接触部材を押しても、引いても、あるいは横方向にずらしても、その接触の仕方にかかわらず閉口機構を作用させることができ、閉口機構を機能させる確実性が向上する。
【００１５】
動物を捕獲して収容する捕獲器に取り付けて、この捕獲器の進入口を閉じる閉口機構を働かせるためのトリガーモジュールであって、動物の前肢が入る肢挿入口からエサ置き部までの距離よりも短い所定距離内に設けた接触部材と、この接触部材と閉口機構とを繋ぐ連通体とを有し、さらに、これら接触部材と閉口機構との間にあって連通体を通す貫通孔を形成し、この貫通孔の位置に連通体を束縛する連通体挿通部と、を有するトリガーモジュールである。
【００１６】
接触部材と閉口機構とを繋ぐ連通体を有しており、さらに、これら接触部材と閉口機構との間にあって連通体を通す貫通孔を形成し、この貫通孔の位置に連通体を束縛する連通体挿通部を有するため、捕獲目的の動物が接触部材に触れると、閉口機構に繋がる連通体が引かれ、閉口機構が作用し、前扉を閉めるなどの動作が行われて、捕獲器内に動物を閉じ込めることができる。ここでは、接触部材と閉口機構との間にあって連通体を通す貫通孔を形成して、この貫通孔の位置に連通体を束縛する連通体挿通部を設けているため、接触部材を動かす動きにより連通体がどのような方向に動かされても、固定された貫通孔を抜けた閉口機構側では常に閉口機構に繋がる連通体を引っ張る動きに変換される。そのため、接触部材に対する接触の仕方にかかわらず閉口機構を作用させることができ、閉口機構を働かせる確実性が向上する。
【００１７】
こうしたトリガーモジュールは、前記肢挿入口と、この肢挿入口から動物の前肢の誘導路となる壁部とを有する筒状本体をさらに有し、壁部には貫通孔を設け、この貫通孔に連通体を通すことで筒状本体内部に配置した接触部材と筒状本体の外部に位置する閉口機構とを連通体で繋ぐものとして構成できる。
【００１８】
トリガーモジュールに前記肢挿入口と、この肢挿入口から動物の前肢の誘導路となる壁部とを有する筒状本体をさらに設けたため、動物が肢挿入口に前肢を挿入すると、筒状本体の壁部が誘導路となって自然にその奥方に前肢が導かれる。そのため、筒状本体内部にある接触部材に前肢が触れる確率を高めることができる。そして、壁部に設けた貫通孔に連通体を通すことで筒状本体内部に配置した接触部材と筒状本体の外部に位置する閉口機構とを連通体で繋ぐものとしているため、接触部材に対して前肢がどのように接触しても、固定された貫通孔を抜けた閉口機構側では常に閉口機構に繋がる連通体を引っ張る動きに変換される。したがって、接触部材に対する前肢の接触の仕方にかかわらず閉口機構を作用させることができ、閉口機構を機能させる確実性が向上する。
【００１９】
こうした貫通孔は筒状本体の壁部に設けられているため、筒状本体から外部に出た連通体は、その長さ方向に引っ張られる動きしか伴わず、長さ方向に交叉する方向には原則として動かないため、連通体と閉口機構との連結を安定させることができる。また、既存の捕獲器の閉口機構に対して連通体を連結し易く、簡単に既存の捕獲器に取り付けることができるトリガーモジュールとすることができる。
【００２０】
前記筒状本体は、捕獲対象動物に対して肢挿入口を対向すると、この肢挿入口に肢が入った後に肢挿入口に対する交叉方向に肢を導く誘導路を有し、この誘導路中に接触部材が配置され、さらにその奥方にエサを載置可能なエサ置き部を備えるものとして構成できる。
【００２１】
前記筒状本体は、捕獲対象動物に対して肢挿入口を対向すると、この肢挿入口に肢が入った後に肢挿入口に対する交叉方向に肢を導く誘導路を有し、この誘導路中に接触部材が配置され、さらにその奥方にエサを載置可能なエサ置き部を備えるものとして構成したため、接触部材が肢挿入口から見える位置になく、捕獲動物の警戒を招くおそれがない。また、エサ置き部まで備えたユニットとして構成されるため、トリガーモジュールを既存の捕獲器に設置することで、それ以外の付加的な構成を取ることなく、前肢を使う動物専用の捕獲器に簡単に改良することができる。また、筒状本体の肢挿入口とは反対の奥側にエサを配置することにより、エサの匂いが筒状本体の壁部が誘導路となって肢挿入口から放出される。そのため、捕獲目的の動物が肢挿入口に前肢を挿入する確率を高めることができる。
【００２２】
前記筒状本体の肢挿入口とは反対側の端部に、当該筒状本体内にエサを挿入可能なエサ挿入口を設け、エサ挿入口と肢挿入口のそれぞれの開口が反対側を向くように配置したトリガーモジュールとして構成できる。
前記筒状本体の肢挿入口とは反対側の端部に、当該筒状本体内にエサを挿入可能なエサ挿入口を設け、エサ挿入口と肢挿入口のそれぞれの開口が反対側を向くように配置したため、肢挿入口を捕獲器の内側に向ける一方で、エサ挿入口をそれとは反対側、即ち、捕獲器の外側に向けることができる。したがって、捕獲器の内側（内部）から動物が肢挿入口に前肢を挿入でき、また、エサ挿入口を通じたエサの交換を捕獲器の外側（外部）から行うことができる。そのため、エサの交換が容易である。
【００２３】
筒状本体の中心部分における肢挿入口から接触部材までの長さが１７〜２５ｃｍであるトリガーモジュールとすることができる。
筒状本体の中心部分における肢挿入口から接触部材までの長さが１７〜２５ｃｍであるトリガーモジュールとすれば、アライグマを専ら捕獲し、他の動物の錯誤捕獲が生じ難いアライグマ専用捕獲器を簡単に得ることができる。
【００２４】
本発明はまた、動物を捕獲して収容する捕獲器であって、中心軸を中心に回動可能なシーソー板と、シーソー板の前記中心軸を挟んだ一方側に設けた連通体止め部と、シーソー板の前記中心軸を挟んだ他方側に当該シーソー板から突出して設けたワイヤー止め突起とを有し、連通体止め部に繋げた連通体が引かれてシーソー板が回動することでワイヤー止め突起に係止した扉開けワイヤーが外れて前扉を閉めることが可能な閉口機構を備える捕獲器を提供する。
【００２５】
動物を捕獲して収容する捕獲器について、中心軸を中心に回動可能なシーソー板と、シーソー板の前記中心軸を挟んだ一方側に設けた連通体止め部と、シーソー板の前記中心軸を挟んだ他方側に当該シーソー板から突出して設けたワイヤー止め突起とを有し、連通体止め部に繋げた連通体が引かれてシーソー板が回動することでワイヤー止め突起に係止した扉開けワイヤーが外れて前扉を閉めることが可能な閉口機構を備えるものとしたため、連通体が連通体止め突起を引っ張る僅かな力で、扉開けワイヤーとワイヤー止め突起との強固な係止を解くことができ、連通体の引張方向への僅かな移動でスムーズに前扉を閉めることができる。
【００２６】
本発明はさらにまた、動物を捕獲して収容する捕獲器であって、前扉の表面側に水平に伸びる押さえ杆と、捕獲器の両側面壁の表面に配設され一方側が押さえ杆の一方端に連接し他方側が側面壁に垂直な回動支軸に連接する一対の閉じ棒と、捕獲器の両側面壁の表面に配設され一方側が当該側面壁の下部に固定し他方側が前記閉じ棒の中間部に固定する一対のバネ部とから形成される扉ロック機構を備える捕獲器を提供する。
【００２７】
動物を捕獲して収容する捕獲器について、前扉の表面側に水平に伸びる押さえ杆と、捕獲器の両側面壁の表面に配設され一方側が押さえ杆の一方端に連接し他方側が側面壁に垂直な回動支軸に連接する一対の閉じ棒と、捕獲器の両側面壁の表面に配設され一方側が当該側面壁の下部に固定し他方側が前記閉じ棒の中間部に固定する一対のバネ部とから形成される扉ロック機構を備えるため、押さえ杆と一対の閉じ棒とで上面視でコ字状の押さえ部材を形成し、前扉を押さえることができる。そして、一対のバネ部により押さえ杆を前扉方向に引きつけることができ、前扉を開き難くすることができる。
【発明の効果】
【００２８】
本発明のトリガーモジュール及び捕獲器、並びにトリガーモジュール付き捕獲器によれば、エサを取られることなしに目的の捕獲獣を捕獲することができる。
【図面の簡単な説明】
【００２９】
【図１】第１実施形態のトリガーモジュール付き捕獲器の要部右側面図である。
【図２】図１のトリガーモジュール付き捕獲器の要部左側面図である。
【図３】図１のトリガーモジュール付き捕獲器の前扉を閉じた状態の要部前面図（正面図）である。
【図４】図１のトリガーモジュール付き捕獲器の前扉を閉じた状態の要部右側面図である。
【図５】第１実施形態のトリガーモジュールの正面図である。
【図６】図５のトリガーモジュールの右側面図である。
【図７】図５のトリガーモジュールと閉口機構との結合状態を説明する後面図（背面図）である。
【図８】図７の閉口機構の拡大図である。
【図９】図８の閉口機構の側面図である。
【図１０】連通体の別の態様を説明する説明図である。
【図１１】連通体のまた別の態様を説明する説明図である。
【図１２】筒状本体の別の態様を説明する説明図である。
【図１３】筒状本体のまた別の態様を説明する説明図である。
【図１４】図１３で示すトリガーモジュールを取り付けたトリガーモジュール付き捕獲器の図１相当の要部右側面図である。
【図１５】第２実施形態のトリガーモジュール付き捕獲器の図１相当の要部右側面図である。
【図１６】第２実施形態のトリガーモジュールと閉口機構との結合状態を説明する図７相当の後面図（背面図）である。
【発明を実施するための形態】
【００３０】
本発明のトリガーモジュール及び捕獲器、並びにトリガーモジュール付き捕獲器について実施形態に基づいて詳しく説明する。各実施形態において重複する材料、大きさ、製造方法、作用効果、機能等については重複説明を省略する。
【００３１】
第１実施形態[図１〜図１１]：
第１実施形態で説明するトリガーモジュール付き捕獲器１は、従来の捕獲器に比べコンパクトな形態となった捕獲器１０と、前肢でエサを取る動物に対する罠となるトリガーモジュール２０とを備えたものである。以降、本明細書、特許請求の範囲では、動物が捕獲器１０に進入する面を「前面」、その反対側を「後面」とし、また「上」「下」等の方向を示す言葉を用いて説明しているが、何れも説明の便宜のためであり、各部材の利用方向を限定するものではない。
【００３２】
捕獲器１０にトリガーモジュール２０を取り付けた第１実施形態のトリガーモジュール付き捕獲器１の要部説明図を図１〜図４で示す。図１は右側面図、図２は左側面図、図３は前扉１５が閉じた状態の正面図（前面図）、図４は前扉１５が閉じた状態の右側面図である。
これらの図で示すように、捕獲器１０は全体の外形がやや縦長の直方体からなり、この直方体をなす前面Ａ、後面Ｂ、上面Ｃ、底面Ｄ、右側面Ｅ、左側面Ｆの６面に、それぞれ金網で形成された前面壁１３ａ、後面壁１３ｂ、上面壁１３ｃ、底面壁１３ｄ、右側面壁１３ｅ、左側面壁１３ｆを有する檻であり、動物が捕獲器１０に入る入口となる前面Ａに、前面壁１３ａとは別に進入口１４を有し、進入口１４には前扉１５が開閉可能な状態に設けられている。また、捕獲器１０の後面壁１３ｂにはトリガーモジュール２０が設置されている。このトリガーモジュール２０は、後で詳述するが、進入口１４を閉塞する前扉１５が閉まるように作用させるための部位である。
【００３３】
このように捕獲器１０は縦長であることを特徴の一つとしたことから、その前面Ａの全てが開口となっているのではなく、前面上部には前面壁１３ａを有し、前面下部が進入口１４となっている。そして、この進入口１４を開閉する前扉１５は、前面壁１３ａの下端において水平方向に延びる枢軸１６を回転軸として回動可能に設けられている。
【００３４】
この前扉１５には、後述する押さえ杆７２が前扉上を滑らかにスライドするように２本の平行なガイド板１７，１７が上下方向に設けられ、加えて前扉１５の下側には扉開けワイヤー５０の取付部（ワイヤー取付部１８）が設けられている。この扉開けワイヤー５０は、前扉１５から上面壁１３ｃの上を通り、後面壁１３ｂ側でトリガーモジュール２０に連通する後述の閉口機構６０に連結されている。
【００３５】
次に、捕獲器の後面壁１３ｂに取り付けるトリガーモジュール２０について説明する。図５にはトリガーモジュール２０を前面Ａから見た状態での概略説明図を示し、図６にはトリガーモジュール２０を右側面Ｅから見た状態での概略説明図を示す。これらの図で示すように、トリガーモジュール２０は、動物、ここではアライグマ等の動物の前肢が入る肢挿入口２２を有する筒状本体２１と、筒状本体２１の内部に設けた接触部材３０と、この接触部材３０に連結し筒状本体２１の壁部２３に開いた貫通孔２４を通じて筒状本体２１の外部に伸びるトリガー紐４０（連通体４０）とを有している。
【００３６】
トリガーモジュール２０を構成する筒状本体２１は、基本的には動物の前肢が入る肢挿入口２２を有し、この肢挿入口２２から動物の前肢の誘導路となる壁部２３を有するものであれば良いが、図６で示すように、ここでは円筒状の両端側を同じ方向に９０度曲げた形状であり、捕獲器１０に筒状本体２１を縦置きに配置した場合に、肢挿入口２２側の端部と、その反対側の端部が前面Ａに向くように形成している。また、肢挿入口２２がある側は三又状の部材で形成されており、肢挿入口２２が前面Ａを向く一方で上面を向く開口も有しているが上側プラグ２７で閉じている。
【００３７】
筒状本体２１の肢挿入孔２２を前面Ａに向くようにしたため、この肢挿入口２２が、進入してくる動物に正対することで、前肢が挿入され易く、また、肢挿入口２２から接触部材３０が見えないため、目の利く動物を捕らえようとする場合においても警戒され難いと考えられる。さらには、真上に開口を設けた場合に生じる雨水が入り易いといった弊害が起こり難い。一方、筒状本体２１の反対側の端部についても前面Ａに向くようにしたため、この端部となる下側プラグ２８に設けた匂い穴２５を前面Ａに向けることができ、放出されるエサの匂いにより捕獲器１０内に動物を誘引し易いと考えられる。
【００３８】
筒状本体２１の内側中間位置には後述する接触部材３０を設ける一方で、下側の略水平部分を、エサを配置するためのエサ置き部２６とすることができる。エサは上側プラグ２７を開けて生じた開口から下に落とすように入れても良いし、下側プラグ２８を開けて入れても良く、さらには肢挿入口２２から入れることもできる。また、下側プラグ２８の表面に設ける匂い穴２５は複数個開けておくことができる。
【００３９】
上側プラグ２７や下側プラグ２８は、ねじ込み式などの方法で筒状本体２１に連結することができ、上側プラグ２７や下側プラグ２８を外すとエサを挿入可能なエサ挿入口Ｐとなる。肢挿入口２２からエサを挿入する場合には、肢挿入口２２がまたエサ挿入口Ｐともなる。
【００４０】
接触部材３０は、筒状本体内に挿入された動物の前肢が触れる部位である。動物の前肢が接触部材３０に触れることで、この接触部材３０に連結される後述のトリガー紐４０が引かれ閉口機構６０を働かせて前扉１５を閉じ動物を捕獲する。接触部材３０は、動物の前肢が接触して、その前肢が引っかかり易い形状であることが好ましい。本実施形態では、ゴムホースを好適な長さに切断し、その表面にいくつかの穴を開けたものを２本並列させて用いている。表面にこうした掛かり穴３１を開けることで動物の爪が引っかかり易いようにしている。２本の短ゴムホースは、並列させることでそれを交叉させ略十字状に配置できるため、動物の前肢が接触し易い。
【００４１】
連通体４０であるトリガー紐４０は、接触部材３０を貫通させて固定しており、接触部材３０を挟んで一方側は筒状本体２１に設けた貫通孔２４から外部に出て閉口機構６０に通じ、もう一方側は筒状本体２１に設けた別の貫通孔２４を通じて外部に出て、捕獲器１０の金網などの何れかの固定された場所に接続固定している。トリガー紐４０は、切れ難くまた伸びにくい丈夫な素材を用いることが好ましく、ワイヤーは好ましい一態様である。
【００４２】
筒状本体２１の肢挿入口２２は、捕獲目的の動物によって異なるが、アライグマを捕獲する場合は直径が５ｃｍ前後とすることが好ましい。小さすぎると大きな成獣の場合に接触部材３０まで前肢が届き難くなる。また、エサの管理もし難くなる。一方で大きすぎると接触部材３０の大きさも大きくせざるを得ず、取扱いが困難になり、閉口機構６０が作動し難くなるおそれがある。
【００４３】
筒状本体２１の中心部分での肢挿入口２２から接触部材３０までの長さは、アライグマを捕獲目的とする場合は１７〜２５ｃｍ程度とすることが好ましく、この範囲では長さが短いほどより好ましい。１７〜２５ｃｍの範囲であればアナグマやネコの前肢到達位置の境界を超えるためアライグマのみを捕獲できるが、アライグマの幼獣の捕獲を考えると短い方が良いからである。１５ｃｍ以上１７ｃｍ未満では、アライグマが主に捕獲されるが、たまに誤ってアナグマやネコが捕獲されるおそれがある。５ｃｍ以上１５ｃｍ未満ではアナグマやネコも捕獲される。５ｃｍ未満では前肢を使う動物とそうではない動物の区別がつかなくなる。
【００４４】
底面壁１３ｄから肢挿入口２２の中心までの高さは２０〜４０ｃｍが好ましく、３０ｃｍ前後がより好ましい。３０ｃｍ前後とすると、アライグマが成獣、幼獣の何れの場合でもエサを取ろうとしたときに二足起立になる。２０ｃｍ未満では、アライグマの成獣でも二足起立するが前傾姿勢となって捕獲器１０の奥行が３６ｃｍ程度では後肢が捕獲器の外へ出てしまい、後肢の踏ん張りが効くため、前扉１５が十分に閉まりきらずに逃走する可能性が高くなる。４０ｃｍを超えると、アライグマ成獣では問題ないが、幼獣については二足起立しても前肢を筒状本体２１内に肩まで挿入する行動が困難になり、前肢が接触部材３０に届かないおそれがある。但し、成獣のみを捕獲対象とする場合は、３５〜４０ｃｍがより好ましい。より直立になり捕獲器１０の奥行きをより短くできるからである。
【００４５】
肢挿入口２２の高さを底面壁１３ｄから３０ｃｍとした場合の捕獲器１０の大きさは高さ４５〜５０ｃｍ、幅２５〜３５ｃｍ、奥行き３３〜５０ｃｍとすると、コンパクトでありながら十分な捕獲効果を得ることができる。こうした捕獲器１０の大きさは、現状の市販品の大きさが、高さ２３〜３８ｃｍ、幅２３〜３８ｃｍ、奥行きが６５〜９０ｃｍに設定されているのに比べて奥行きを半分程度に小さくでき、コンパクト化が可能である。そのため、従来は捕獲した動物が横長の捕獲器内を動くため、安定して持ち運びをするには両手で捕獲器を持たざるをえなかったが、縦長とした捕獲器１０では、動物が捕獲器１０内を動くスペースがなく、片手で安定して持ち運びができる。なお、上面壁１３ｃには持ち運び用の取っ手１９が設けてある。
【００４６】
底面壁１３ｄから下側プラグ２８の中心までの高さは、アライグマを捕獲目的とした場合に、５〜１０ｃｍが好ましい。アライグマが四肢歩行する場合の鼻の高さが丁度この程度の高さであり、アライグマを引きつけ易いと考えられるからである。１０ｃｍよりも高い位置に置くと、アライグマの鼻の高さからの距離が広がりエサを嗅ぎつける効果が少しは薄れると考えられるからであり、５ｃｍよりも低いと、アリやその他の虫が入り易くなり、エサの鮮度が損なわれるおそれがあるからである。
【００４７】
筒状本体２１の材質は問わないが、水道用の配管として用いられる市販の水道管を利用することが可能で、筒状本体内部の様子が外からわかるように透明なプラスチック管を用いることが好ましい。ここで用いた水道管は、大曲りチーズ管と、ソケット継手と、エルボー管とを組み合わせており、大曲りチーズ管の上部は上側プラグ２７で、エルボー管の端部は下側プラグ２８で塞いでいる。
【００４８】
トリガーモジュール２０の捕獲器１０への取付けは、捕獲器１０の後面壁１３ｂに取り付けるのが通常であり、筒状本体２１と後面壁１３ｂの金網とを結束バンド２９等で固定する方法を例示できるが、他の方法で固定しても良い。但し、少なくともトリガーモジュール２０の肢挿入口２２が後面壁１３ｂの金網で閉塞されない程度に後面壁１３ｂの金網を切除する必要がある。そうした一方で、図１や図２で示したように、トリガーモジュール２０の四方を金網で囲うことが好ましい。エサの匂いに引き寄せられた動物が捕獲器１０の外部からトリガーモジュール２０に近づき、トリガーモジュール２０からエサを取ろうとしてトリガーモジュール２０が傷つけられることを防止するためである。
【００４９】
次に、捕獲器１０の前扉１５が進入口１４を閉めるように作動する閉口機構６０について説明する。図７には閉口機構６０をトリガーモジュール２０に並列して設けた状態の説明図を、図８には閉口機構６０の拡大正面図を、図９にはその側面図をそれぞれ示す。これらの図で示すように、閉口機構６０は、支持板突起６７を有する支持板６１と、中心軸６３で支持板に回動自在に支持されたシーソー板６２と、このシーソー板６２から突出する連通体止め突起（連通体止め部）６４及びワイヤー止め突起６５と、シーソー板６２と捕獲器１０の一部を繋ぐ戻しバネ６６とを有している。こうした閉口機構６０は、接触部材３０に連通する連通体止め突起６４が引っ張られることでシーソー板６２が回転し、ワイヤー止め突起６５と扉開けワイヤー５０との係止を解くものであり、扉開けワイヤー５０の係止が解かれると前扉１５はその自重によって落ち、進入口１４を閉じる。なお、連通体止め突起に代えてシーソー板６２に穴を連通体止め部として設け、その穴に連通体を繋ぐようにしても良い。また、進入口１４を閉じた後にシーソー板６２を元の位置に戻すことを考えなければ戻しバネ６６は不要である。
【００５０】
捕獲器１０にはまた、捕獲された動物によって前扉１５が開かないように、前扉１５を閉じた状態でロックする扉ロック機構７０が設けられている。図１、図３に戻って説明すると、扉ロック機構７０は、前扉１５の表面側に水平に伸びる押さえ杆７２と、捕獲器１０の両側面壁１３ｅ，１３ｆ側の表面に配設され一方端が押さえ杆７２の両端にそれぞれ連なり他方端が側面壁１３ｅ，１３ｆに垂直な回動支軸７５に連接する２本の閉じ棒７３，７３と、閉じ棒７３の略中間位置と捕獲器１０の側面１３ｅ（１３ｆ）下部とに両端が接続された一対のバネ部７４とで形成されており、押さえ杆７２と両閉じ棒７３とで平面視コ字状に形成される押さえ部材７１が形成され、この押さえ部材７１で前扉１５を覆い、バネ部７４のバネ力によって押さえ部材７１が前扉１５を押さえつけるようになっている。
【００５１】
次に、トリガーモジュール付き捕獲器１を設置して動物を捕獲する際の作用について説明する。捕獲器１０の前扉１５を上方に持ち上げ進入口１４を開けた状態で、捕獲対象となる動物が出現しそうな場所に捕獲器１０を設置する。トリガーモジュール２０内に置かれたエサの匂いを嗅ぎつけそのエサを取りに来た動物は、進入口１４から捕獲器１０の中に入りエサを取る行動に移る。捕獲対象ではないアナグマやハクビシン、タヌキ、テン等が捕獲器１０に入ったとしても、トリガーモジュール２０内に置かれたエサは取ることができず、いずれ捕獲器１０から外に逃げ出し、これらの動物を錯誤捕獲することはない。また、エサも動物に触れられないため、そのままの状態で保持され、捕獲器１０内にエサが散乱して汚れることが無い。
【００５２】
こうした一方で、捕獲目的である前肢を使ってエサを取る動物が捕獲器１０の周囲に出現すると、捕獲器１０内の比較的下方に位置する下側プラグ２８に開いた匂い穴２５から放出されるエサの匂いを嗅ぎつけて、捕獲器１０に寄ってくる。エサ置き部２６及び匂い穴２５がともに低い位置にあるため、アライグマ等の動物の体格に合致し、効果的に捕獲対象を捕獲器１０内に引き寄せることができる。
【００５３】
捕獲器１０内に入ったアライグマ等の前肢利用動物はエサを取ろうとするも、下側プラグ２８があるため、エサを直接取ることができない。一方、筒状本体の肢挿入口２２もエサに通じており、この肢挿入口２２からもエサの匂いが放出されるため、前肢利用動物特有の前肢を使ってエサを取ろうとする行動により、肢挿入口２２内に前肢を入れることになる。筒状本体２１の中には、肢挿入口２２から捕獲目的の前肢利用動物の前肢の届く長さに応じた位置に接触部材３０を設置しておけば、捕獲目的の動物の前肢がこの接触部材３０に触れることになる。
【００５４】
筒状本体２１の中心部分での肢挿入口２２から接触部材３０までの長さを１７〜２５ｃｍに設定しておけば、アライグマのみを効果的に捕獲することができる。ネコは前肢を使うことができるため、トリガーモジュール２０の肢挿入口２２に前肢を入れてエサを取ろうとするが、接触部材３０までその前肢が届くことがないため、ネコが捕獲されることは希である。
一方、筒状本体２１の中心部分での肢挿入口２２から接触部材３０までの長さを５ｃｍ以上１７ｃｍ未満に設定しておけば、アライグマやアナグマ、ネコを捕獲することができる。近年、野生のネコが増えており、こうしたネコを捕獲して保護する必要性が増加している。捕獲器１０では捕獲した動物を傷つけることが無いため、接触部材３０の位置を調整することでネコを安全に捕獲することができる。
【００５５】
動物の前肢と接触部材３０との接触は、前肢で直接、接触部材３０を下方に押し込む場合や、押し込まずに手前に接触部材３０を引き寄せる場合、あるいは、接触部材３０と筒状本体２１の間の隙間を前肢が通り接触部材３０が前後に動く場合、接触部材３０に開いた掛かり穴３１にアライグマの爪が引っかかった場合等々、種々の態様で行われる。したがって、接触部材３０は筒状本体２１の中をあらゆる方向に動かされる可能性がある。しかしながら、こうした何れの場合においても、接触部材３０に連なるトリガー紐４０は、筒状本体２１に開いた２箇所の貫通孔２４，２４を通じて外部に連通するため、貫通孔２４，２４の位置にトリガー紐４０を束縛することで、接触部材３０が閉口機構６０側の貫通孔２４に向かって動かされた場合を除き、接触部材３０に対するあらゆる方向の動きが、貫通孔２４から外部では一様にトリガー紐４０が引かれる方向の動きに変化する。
【００５６】
トリガー紐４０が引かれると、図８で示す閉口機構６０においては、図中の矢印で示す方向にトリガー紐４０が引かれることになるため、シーソー板６２が中心軸６３を中心に時計周りに回転し、ワイヤー止め突起６５は図８の右方向に移動する。支持板突起６７によって、ワイヤー止め突起６５との連動が阻害される扉開けワイヤー５０の先端は、ワイヤー止め突起６５から外れる。
【００５７】
ワイヤー止め突起６５と扉開けワイヤー５０との係合が解かれることで、支持を失った前扉１５は、その自重によって下側に落ちることにより捕獲器１０の進入口１４が閉塞される。この際、両側面壁１３ｅ，１３ｆに取り付けられたバネ部７４も押さえ部材７１を下ろす方向に付勢されているため、前扉１５の閉まる動きに連動し、押さえ杆７２が前扉１５のガイド板１７上をスライドして降下する。そして、前扉１５が進入口１４を閉じるときに押さえ杆７２はガイド板１７の下端に収まる位置で止まる。この位置においてもバネ部７４による引張り力で押さえ部材７１が前扉１５を拘束するため、動物の逃げ出しを防止することができる。
【００５８】
アライグマ等の前肢でエサを取ろうとする動物は、肢挿入口２２に前肢を挿入しようとする際に二肢で起立するため、四肢で歩行する場合と比べて底面壁１３ｄに対する踏ん張り力が弱まるとともに、四肢で歩行する場合よりも肢挿入口２２により近づくことになる。そのため、肢挿入口２２に前肢を挿入しようとする段階で、既に捕獲器１０内に十分に進入したことになり、捕獲器からの逃げ出しを生じ難くすることができる。換言すれば、十分な捕獲を行うために必要な捕獲器１０内のスペースを減らすことができるため、より小さくコンパクトな大きさの捕獲器１０を実現することができる。
【００５９】
トリガーモジュールの変形例[図１０〜図１４]：
前記実施形態では、筒状本体２１から外部に露出する連通体４０の一方を捕獲器１０の後面壁１３ｂに繋ぎ、他方を閉口機構６０につないでいたが、図１０で示すように、連通体４０の双方を一つにまとめ、閉口機構６０につなげるようにすることができる。
あるいはまた、図１１で示すように、接触部材３０に接続する連通体４０を１箇所のみとすることができる。但しこの場合にも、接触部材３０の片側にある連通体４０のみで接触部材３０を貫通孔２４のある壁面から離し、筒状本体２１の中央部分に配置させることが望ましいことから、連通体４０自体にある程度の定形性があるものが好ましい。剛性があり切れ難い素材であってもフレキシブルであると、接触部材３０を筒状本体２１の中央部分に配置させることが困難で、連通体４０が撓み、接触部材３０が壁部２３に沿ってしまい、接触部材３０が一方に片寄って、その反対側に空間が生じ易いからである。
【００６０】
筒状本体２１に設けた貫通孔２４の位置は、接触部材３０が肢挿入口２２から所定の位置に配置することができれば、特に限定するものではない。したがって、図５で示すような直線上の位置に限定されず、また、肢挿入口２２の向きに対して垂直方向に限定される必要もない。しかしながら、筒状本体２１の中央位置に接触部材３０を配置する点で直線上の２点に貫通孔２４を設けることが好ましいが、必要に応じて接触部材３０を安定的に保持する補助支持部材のようなものを設けることもできる。
筒状本体２１に設けた貫通孔２４は、肢挿入口２２からの距離が異なる位置に予め複数箇所設けておき、捕獲目的の動物に応じてその距離を簡単に変更できるようすることもできる。
【００６１】
トリガーモジュール２０の筒状本体２１は、図１２で示すように、エサが置かれる部分のエルボー管の向きをこれまでの例とは反対側に向けるようにし、下側プラグ２８が後面壁１３ｂ側に向くように配置することができる。これまでの例のように下側プラグ２８が捕獲器１０の内側に向いていると、捕獲器１０内に入った動物がエサを探って下側プラグ２８をかじるため、ねじ込みで取り付けていた下側プラグ２８が取り外されてしまう問題も生じ得た。しかしながら、下側プラグ２８が後面壁１３ｂ側に向くようにエルボー管を配置することにより、下側プラグ２８が動物によって壊される危険を排することができる。これに加えて、下側プラグ２８を取り外すことで生じるエサ挿入口Ｐが捕獲器１０の外側に向くため、エサを投入する場合に捕獲器１０内に手を入れる必要がなく、捕獲器１０の外側からエサの補充、取り替え作業ができる。そのため、無理な体勢で作業をする必要がなく、洋服の袖も汚さず衛生的であり、簡単にエサ交換ができる。また、誤って前扉１５に手や腕が挟まれるようなこともない。
【００６２】
あるいはまた、トリガーモジュール２０の筒状本体２１は、図１３で示すように、エサが置かれる部分のエルボー管をＴ字管に変更することができる。Ｔ字管を用いることで、先の例と同様に後面壁１３ｂ側に下側プラグ２８を取り付けることで、図１４で示すように、下側プラグ２８を取り付けるエサ挿入口Ｐが捕獲器１０の外側に出て、エサ交換が容易にできるだけでなく、捕獲器１０の内側に向いた開口は匂い穴２５を開けたキャップで蓋をすることができる。これにより、匂い穴２５を通じてエサの匂いを捕獲器１０の内側に発することができ、また、このキャップはＴ字管に固着することができるため、エサ交換ができることを想定して匂い穴２５を開けた下側プラグ２８を用いる場合のように、ねじ込みを維持する必要がなく、動物にかじられて誤って外れるようなことが生じ難い。
【００６３】
その他の変形例[図示せず]：
トリガーモジュール２０の捕獲器１０への設置は、筒状本体２１の長さ方向を縦方向に向けて行っていたが、捕獲器の大きさやその他の事情でこうした向きとは異なる向きに設置しても良い。例えば、エサ置き部２６の位置が高まるが、筒状本体２１を水平に設置することもできる。
【００６４】
あるいはまた、筒状本体２１の保護を優先したり、二足起立をより確実にさせたり、エサ換えを容易にしたりする目的から、トリガーモジュールを捕獲器１０の上面壁１３ｃに設けることもできる。なお、この場合には、下側プラグ２８が肢挿入口２２とは反対側に向くように筒状本体２１を形成することが好ましい。下側プラグ２８を外した上向きとなる開口からエサを置くことができエサ換えに便利であるとともに、匂い穴２５からのエサの落下を防止できるからである。
【００６５】
トリガーモジュール２０を形成する筒状本体２１の形状は前記形状に限定されず、またそれに用いる用具、その組み合わせは前記例に限定されないため、例えば、略「Ｊ」字状に筒状本体２１を形成することもできる。Ｊ字の下側が肢挿入口２２としてこれまでと同様の方向に向ける一方で、Ｊ字の上側が捕獲器１０の上面Ｄから外側に向くエサ挿入口Ｐとすることができる。こうした構成とすることでエサを捕獲器１０の上部から挿入でき、エサ挿入口Ｐは、上側（下側）プラグ２７（２８）で塞ぐことで、雨水の筒状本体２１内への浸入を防止することができる。
【００６６】
捕獲器１０は、トリガーモジュール２０の機能と相俟ってコンパクトなものを用いているが、こうした捕獲器１０以外の市販の捕獲器を用いることができる。その場合には、市販の捕獲器の内部に上記トリガーモジュール２０を設置すれば良いが、トリガーモジュール２０の保護を目的として動物から隔離することが好ましく、捕獲器内に動物からトリガーモジュール２０を仕切る仕切り板を設置することが好ましい。また、捕獲器の外部にトリガーモジュール２０を設置する場合は、肢挿入口２２の部分の金網を除去するとともに、トリガーモジュール２０を囲う金網等を新たに設けることが好ましい。
【００６７】
第２実施形態[図１５，図１６]：
図１５，図１６には、第２実施形態としてのトリガー機構付き捕獲器２を示す。トリガー機構付き捕獲器２で用いる捕獲器１１０は、接触部材３０を設けているが、後面壁１３ｂに肢挿入口１２２を設けており、筒状本体２１に肢挿入口２２を設けて一つのモジュールとしてトリガー機構を構成した第１実施形態のトリガーモジュール付き捕獲器１と異なる。
【００６８】
本実施形態でのトリガー機構１２０では、筒状本体２１を設けておらず、動物の前肢が入る前記肢挿入口１２２から後述のエサ置き部１２６までの距離よりも短い距離内に配置する接触部材３０と、連通体４０とからなるものであり、図１５で示すように、エサ置き部１２６も後面壁１３ｂの外側に設置している。但し、接触部材３０や連通体４０は第１実施形態のトリガーモジュール２０を構成するものと同様のものを用いることができ、図１６で示すように、連通体４０の一方は閉口機構６０につなげ、もう一方は捕獲器１１０の金網等に固定する態様は第１実施形態と同じである。
【００６９】
後面壁１３ｂの後部は、トリガー機構１２０の接触部材３０や連通体４０、閉口機構６０、そしてエサ置き部１２６を動物から保護するため、金網等で囲う構成とすることが好ましく、エサ置き部１２６からのエサの匂いが肢挿入口１２２から効果的に出るように、金網とは異なり外気から遮断できる板材のようなもので構成することがより好ましい。
【００７０】
上記実施形態は本発明の例示であり、本発明の趣旨を逸脱しない範囲で、実施形態の変更または公知技術の付加や、組合せ等を行い得るものであり、それらの技術もまた本発明の範囲に含まれるものである。
【符号の説明】
【００７１】
１  トリガーモジュール付き捕獲器（第１実施形態）
１０  捕獲器
Ａ  前面、Ｂ  後面、Ｃ  上面、Ｄ  底面、Ｅ  右側面、Ｆ  左側面
１３ａ  前面壁、１３ｂ  後面壁、１３ｃ  上面壁、１３ｄ  底面壁、１３ｅ  右側面壁、１３ｆ  左側面壁
１４  進入口
１５  前扉
１６  枢軸
１７  ガイド板
１８  ワイヤー取付部
１９  取っ手
２０  トリガーモジュール
２１  筒状本体
２２  肢挿入口
２３  壁部
２４  貫通孔
２５  匂い穴
２６  エサ置き部
２７  上側プラグ
２８  下側プラグ
２９  結束バンド
Ｐ  エサ挿入口
３０  接触部材
３１  掛かり穴
４０  連通体（トリガー紐）
５０  扉開けワイヤー
６０  閉口機構
６１  支持板
６２  シーソー板
６３  中心軸
６４  連通体止め部（連通体止め突起）
６５  ワイヤー止め突起
６６  戻しバネ
６７  支持板突起
７０  扉ロック機構
７１  押さえ部材
７２  押さえ杆
７３  閉じ棒
７４  バネ部
７５  回動支軸
２  トリガー機構付き捕獲器（第２実施形態）
１１０  捕獲器
１２０  トリガー機構
１２２  肢挿入口
１２６  エサ置き部
【図１】
2019110897.tif 000003
【図２】
2019110897.tif 000004
【図３】
2019110897.tif 000005
【図４】
2019110897.tif 000006
【図５】
2019110897.tif 000007
【図６】
2019110897.tif 000008
【図７】
2019110897.tif 000009
【図８】
2019110897.tif 000010
【図９】
2019110897.tif 000011
【図１０】
2019110897.tif 000012
【図１１】
2019110897.tif 000013
【図１２】
2019110897.tif 000014
【図１３】
2019110897.tif 000015
【図１４】
2019110897.tif 000016
【図１５】
2019110897.tif 000017
【図１６】
2019110897.tif 000018